(57)【要約】【課題】新規部品を追加実装することなく、伝送器１０に供給する電源をＯＮ／ＯＦＦできる伝送器電源装置を提供すること。【解決手段】伝送器に安定化された電源を供給する安定化回路および装置の動作を制御するマイコンが設けられた伝送器電源装置において、  前記マイコンの制御ポートの出力信号により、前記安定化回路の出力電圧をＯＮ／ＯＦＦ制御することを特徴とするもの。【選択図】                    図１
2012100414.tif 000002
【特許請求の範囲】
【請求項１】
伝送器に安定化された電源を供給する安定化回路および装置の動作を制御するマイコンが設けられた伝送器電源装置において、
前記マイコンの制御ポートの出力信号により、前記安定化回路の出力電圧をＯＮ／ＯＦＦ制御することを特徴とする伝送器電源装置。
【請求項２】
前記伝送器電源装置は、前記伝送器と上位装置との間で所定の信号の授受を行うように構成された信号変換器であることを特徴とする請求項１に記載の伝送器電源装置。
【請求項３】
前記伝送器は、２線式伝送路を介して前記伝送器電源装置に接続されていることを特徴とする請求項１または請求項２に記載の伝送器電源装置。
【発明の詳細な説明】
【技術分野】
【０００１】
本発明は、伝送器電源装置に関し、詳しくは、伝送器に電源を供給する伝送器電源装置の改良に関する。
【０００２】
プロセス制御系で用いられる流量計や圧力計や温度計などの伝送器では、上位装置であるたとえば分散制御システム（以下ＤＣＳという）と所定の信号の授受を行うように構成された信号変換器との間に２線式の伝送路を設け、この伝送路を介して信号変換器から電源供給を受けるとともに、流量、圧力、温度などのプロセス変数の測定結果を４〜２０ｍＡの直流電流信号に変換して信号変換器に伝送することが行われている。
【０００３】
図２は、このような従来の伝送器電源装置の一例を示す構成説明図である。図２において、伝送器１０は、２線式伝送路２０を介して伝送器電源装置として機能する信号変換器３０の電源端子Ｐｓ＋と入力端子Ｉｎ＋に接続されている。なお、信号変換器３０は、たとえばコネクタを介して図示しない信号変換器収納部に着脱可能なプラグインユニットとして構成されている。
【０００４】
信号変換器３０において、電源端子Ｐｓ＋には伝送器電源部３１が接続されている。伝送器電源部３１には、出力電圧を所定の電圧（たとえば約２５Ｖ）に安定化するＤＣ／ＤＣコンバータなどの安定化回路３２が設けられている。また、伝送器電源部３１には、内部の電源部３３から所定の直流電源電圧が供給されている。
【０００５】
入力端子Ｉｎ＋とＩｎ−の間には抵抗３４が接続され、入力端子Ｉｎ＋はアンプ３５を介してマイコン３６に接続され、入力端子Ｉｎ−は共通電位点に接続されている。
【０００６】
マイコン３６は、アンプ３５を介して入力される伝送器１０のアナログ信号をデジタル信号に変換してフォトカプラ３８に出力する。
【０００７】
マイコン３６には図示しない外部のＤＣＳと通信を行う通信インタフェース３７が接続されるとともに、直流絶縁結合を行うフォトカプラ３８が接続されている。
【０００８】
フォトカプラ３８の出力端子は、信号処理部３９を介して出力端子Ｏｕｔ＋に接続されている。信号処理部３９は、フォトカプラ３８から絶縁出力されるデジタル信号を、所定の振幅に規準化されたアナログ信号に変換する。出力端子Ｏｕｔ−は共通電位点に接続されている。
【０００９】
ところで、図２の構成において、伝送器１０の交換や接続を変更するのにあたっては、信号変換器３０の電源端子Ｐｓ＋から約２５Ｖが出力されていることから、信号変換器３０から伝送器１０に供給している電源を強制的にＯＦＦにすることが行われている。具体的には、信号変換器３０に電源を供給している図示しない電源ケーブルを外したり、信号変換器収納部と信号変換器３０とを接続しているコネクタの嵌め合いを外すことなどが行われている。
【００１０】
特許文献１には、２線式伝送路を介してトランスミッタへ直流電力を供給する電力供給手段と、トランスミッタの出力信号を所定レベル以上のアナログ電圧信号に変換する入力回路を備え、各種のトランスミッタやアクチュエータに対応できるシグナルコンディショナ（信号変換器）に関する技術が記載されている。
【先行技術文献】
【特許文献】
【００１１】
【特許文献１】特開平５−９１０８５号公報
【発明の概要】
【発明が解決しようとする課題】
【００１２】
しかし、伝送器１０の交換や接続を変更するのにあたり、その都度信号変換器３０のケーブルやコネクタを外すことは、信号変換器３０が設置されている現場での作業性が悪いという問題がある。
【００１３】
そこで、図３に示すように、信号変換器３０の伝送器電源部３１と電源端子Ｐｓ＋との間に、伝送器１０に供給する電源をＯＮ／ＯＦＦするスイッチＳＷを設けることも行われている。
【００１４】
ところが、信号変換器３０にスイッチＳＷを設けることは、部品コストがかさむことになり、好ましくない。
【００１５】
また、信号変換器３０にスイッチＳＷを設けた場合、伝送器１０の交換や接続を変更した後にスイッチＳＷを再びＯＮにすることを忘れると、信号変換器３０の設置現場まで出向いて対応しなければならない。
【００１６】
本発明は、このような従来の問題点に着目したものであり、その目的は、新規部品を追加実装することなく、伝送器１０に供給する電源をＯＮ／ＯＦＦできる伝送器電源装置を提供することにある。
【課題を解決するための手段】
【００１７】
このような課題を達成する請求項１の発明は、
伝送器に安定化された電源を供給する安定化回路および装置の動作を制御するマイコンが設けられた伝送器電源装置において、
前記マイコンの制御ポートの出力信号により、前記安定化回路の出力電圧をＯＮ／ＯＦＦ制御することを特徴とする。
【００１８】
請求項２の発明は、請求項１に記載の伝送器電源装置において、
前記伝送器電源装置は、前記伝送器と上位装置との間で所定の信号の授受を行うように構成された信号変換器であることを特徴とする。
【００１９】
請求項３の発明は、請求項１または請求項２に記載の伝送器電源装置において、
前記伝送器は、２線式伝送路を介して前記伝送器電源装置に接続されていることを特徴とする。
【発明の効果】
【００２０】
これにより、ケーブルやコネクタを着脱することなく、また新規部品を追加実装することなく、伝送器に供給する電源をＯＮ／ＯＦＦできる。
【図面の簡単な説明】
【００２１】
【図１】本発明の一実施例を示す構成説明図である。
【図２】従来の伝送器電源装置の一例を示す構成説明図である。
【図３】従来の伝送器電源装置の他の例を示す構成説明図である。
【発明を実施するための最良の形態】
【００２２】
以下、本発明について、図面を用いて説明する。図１は本発明の一実施例を示す構成説明図であり、図２と共通する部分には同一の符号を付けている。図１と図２の相違点は、マイコン３６の制御ポートの出力信号により、伝送器電源部３１の安定化回路３２をＯＮ／ＯＦＦ制御していることである。
【００２３】
図１において、マイコン３６は、通信インタフェース３７を介して入力される上位装置からの制御信号にしたがって、伝送器電源部３１の安定化回路３２をＯＮ／ＯＦＦ制御するように、制御ポートから伝送器電源部３１の安定化回路３２に対して所定の出力信号を出力する。
【００２４】
これにより、伝送器電源部３１から電源端子Ｐｓ＋に出力される電源電圧を、マイコン３６の制御ポートの出力信号がＯＮのときには約２５Ｖ、ＯＦＦのときには約０Ｖに切り換えることができる。
【００２５】
すなわち、伝送器電源部３１から電源端子Ｐｓ＋に出力される電源電圧をＯＮ／ＯＦＦ制御するのにあたり、従来のように作業者が信号変換器３０の設置現場に出向いて信号変換器３０のケーブルやコネクタの着脱作業を行わなくてもよく、従来から信号変換器３０に組み込まれているマイコン３６のソフトウェア処理のみで対応できる。
【００２６】
また、マイコン３６のソフトウェア処理のみで対応できることから、共通の信号変換器収納部に収納されている複数の信号変換器や複数の単体の信号変換器からそれぞれの伝送器に供給される所定の電源電圧をＯＮ／ＯＦＦ制御するのにあたり、各信号変換器に設けられているそれぞれの通信インタフェースを介して上位装置から所定の制御信号を同時に一斉入力することにより、一括して制御することができる。
【００２７】
また、図３のような伝送器電源部３１から電源端子Ｐｓ＋に出力される電源電圧をＯＮ／ＯＦＦするためのスイッチＳＷのような新規部品の追加も不要であり、コストダウンが図れる。
【００２８】
さらに、電源電圧をＯＮ／ＯＦＦするための信号変換器３０のスイッチＳＷが不要になることから、信号変換器３０の設置現場におけるスイッチＳＷのＯＮ／ＯＦＦ操作ミスやスイッチＳＷの誤動作トラブル発生対策を講じる必要もなくなる。
【００２９】
なお、上記実施例では、伝送器電源装置が信号変換器の例について説明したが、これに限るものではなく、伝送器に安定化された電源を供給する安定化回路および装置の動作を制御するマイコンが設けられたものであればよく、たとえば温度調節計やシングルループコントローラーなどであってもよい。
【００３０】
以上説明したように、本発明によれば、ケーブルやコネクタを着脱することなく、また新規部品を追加実装することなく、伝送器に供給する電源をＯＮ／ＯＦＦできる伝送器電源装置が実現できる。
【符号の説明】
【００３１】
１０  伝送器
２０  ２線式伝送路
３０  信号変換器
３１  伝送器電源部
３２  安定化回路
３３  電源部
３４  抵抗
３５  アンプ
３６  マイコン
３７  通信インタフェース
３８  フォトカプラ
３９  信号処理部
Ｐｓ＋  電源端子
Ｉｎ＋、Ｉｎ−  入力端子
Ｏｕｔ＋、Ｏｕｔ−  出力端子
【図１】
2012100414.tif 000003
【図２】
2012100414.tif 000004
【図３】
2012100414.tif 000005